(57)【要約】【課題】  スイッチ操作片に対するスイッチ操作ボタンの突起部の溶着箇所にメッキ層が露出していても、そのメッキ層からの静電気の放電を起こりにくくすることによって、電子部品などの静電気による誤動作や静電破壊を防ぐ。【解決手段】  スイッチ操作ボタン６の突起部６１を、スイッチ操作片２の孔部２２とスイッチ操作片２に一体に形成した有底凹入部２３とに嵌め込んだ状態で溶着処理を行うことにより、スイッチ操作片２に対する突起部６１の溶着箇所を、有底凹入部２３が溶着処理により変形することによって形成された樹脂被覆層２４によって覆わせる。スイッチ操作片２の自由端の押圧作用部２１が、配線基板５に実装されたプッシュスイッチ４のタクト４１に対峙している。【選択図】        図２
2007073245.tif 000002
【特許請求の範囲】
【請求項１】
表面にメッキ層を有する樹脂製のスイッチ操作ボタンの突起部を、樹脂製のスイッチ操作片の孔部に片面側から挿入してその突起部を上記スイッチ操作片に溶着してなるスイッチ操作ボタンの溶着部構造であって、
上記スイッチ操作片に対する上記突起部の溶着箇所が、上記スイッチ操作片の他面から延び出た樹脂被覆層によって覆われていると共に、その樹脂被覆層が、溶着処理前に上記スイッチ操作片の孔部に連通する凹入空間を形成していた有底凹入部が、溶着処理によって上記溶着箇所を覆う形状に変形することによって形成されており、
上記スイッチ操作片が、電気機器キャビネットを形成している樹脂製のフロントパネルに片持ち揺動可能に一体成形されていて、そのスイッチ操作片の自由端に、配線基板に搭載されたプッシュスイッチのタクトに対峙した押圧作用部が形成され、上記溶着箇所が、上記押圧作用部の上部で上記プッシュスイッチに対する空間を隔てた箇所に位置していることを特徴とするスイッチ操作ボタンの溶着部構造。
【請求項２】
表面にメッキ層を有する樹脂製のスイッチ操作ボタンの突起部を、樹脂製のスイッチ操作片の孔部に片面側から挿入してその突起部を上記スイッチ操作片に溶着してなるスイッチ操作ボタンの溶着部構造であって、
上記スイッチ操作片に対する上記突起部の溶着箇所が、上記スイッチ操作片の他面から延び出た樹脂被覆層によって覆われていることを特徴とするスイッチ操作ボタンの溶着部構造。
【請求項３】
上記樹脂被覆層は、溶着処理前に上記スイッチ操作片の孔部に連通する凹入空間を形成していた有底凹入部が、溶着処理によって上記溶着箇所を覆う形状に変形することによって形成されている請求項２に記載したスイッチ操作ボタンの溶着部構造。
【請求項４】
上記スイッチ操作片が、樹脂製の電気機器キャビネットに片持ち揺動可能に一体成形されていて、そのスイッチ操作片の自由端にプッシュスイッチのタクトに対峙した押圧作用部が形成されていると共に、上記溶着箇所が、上記プッシュスイッチに対して空間を隔てた箇所に位置している請求項２又は請求項３に記載したスイッチ操作ボタンの溶着部構造。
【請求項５】
樹脂製の電気機器キャビネットを形成しているフロントパネルに片持ち揺動可能に一体成形され、かつ、配線基板に搭載されているプッシュスイッチのタクトに対峙した押圧作用部がその自由端に形成されている樹脂製のスイッチ操作片の孔部に、表面にメッキ層を有する樹脂製のスイッチ操作ボタンの突起部を上記スイッチ操作片の片面側から挿入してその突起部を上記スイッチ操作片に溶着するスイッチ操作ボタンの溶着方法であって、
スイッチ操作片の他面側に一体成形されてそのスイッチ操作片の孔部に連通した凹入空間を形成する有底凹入部に、上記スイッチ操作ボタンの突起部を上記孔部を通して嵌め込んだ後、上記有底凹入部に対する上記突起部の嵌合箇所に対して当該有底凹入部の外面側から溶着処理を行うことによって、上記スイッチ操作片に対する上記突起部の溶着箇所を、上記有底凹入部が変形することによって形成された樹脂被覆層で覆わせることを特徴とするスイッチ操作ボタンの溶着方法。
【請求項６】
表面にメッキ層を有する樹脂製のスイッチ操作ボタンの突起部を、樹脂製のスイッチ操作片の孔部に片面側から挿入してその突起部を上記スイッチ操作片に溶着するスイッチ操作ボタンの溶着方法であって、
スイッチ操作片の他面側に一体成形されてそのスイッチ操作片の孔部に連通した凹入空間を形成する有底凹入部に、上記スイッチ操作ボタンの突起部を上記孔部を通して嵌め込んだ後、有底凹入部に対する上記突起部の嵌合箇所に対して当該有底凹入部の外面側から溶着処理を行うことによって、上記スイッチ操作片に対する上記突起部の溶着箇所を、上記有底凹入部が変形することによって形成された樹脂被覆層で覆わせることを特徴とするスイッチ操作ボタンの溶着方法。
【請求項７】
上記スイッチ操作片が、樹脂製の電気機器キャビネットに片持ち揺動可能に一体成形されていて、そのスイッチ操作片の自由端にプッシュスイッチのタクトに対峙した押圧作用部が形成されていると共に、上記有底凹入部が、上記プッシュスイッチに対して空間を隔てた箇所に位置している請求項６に記載したスイッチ操作ボタンの溶着方法。
【発明の詳細な説明】
【技術分野】
【０００１】
本発明は、手の指で操作されるスイッチ操作ボタンをスイッチ操作片に溶着して結合する場合に採用されるスイッチ操作ボタンの溶着部構造に関する。また、本発明は、上記スイッチ操作ボタンをスイッチ操作片に溶着して結合する場合に採用されるスイッチ操作ボタンの溶着方法に関する。
【背景技術】
【０００２】
ＤＶＤプレーヤやその他の電気機器では、キャビネットを形成しているフロントパネルに手の指で操作されるスイッチ操作ボタンが配備されていることが多い。また、それらのスイッチ操作ボタンの表面にメッキを施してその美観を高めていることもある。この種のスイッチ操作ボタンを、樹脂成形体でなる上記フロントパネルに一体成形されたスイッチ操作片に溶着して結合する場合、スイッチ操作ボタンに対するメッキ処理は、スイッチ操作片への溶着に先立って行われている。したがって、スイッチ操作ボタンをスイッチ操作片に対して溶着して結合する工程は、メッキ処理によって表面にメッキ層が形成されたスイッチ操作ボタンに対して行われる。
【０００３】
図４及び図５にスイッチ操作ボタン６をスイッチ操作片２に対して溶着する工程を示してあり、これらを参照して従来の溶着部構造及び溶着方法を説明する。図４（Ａ）は溶着処理の前工程を示した縦断側面図、同図（Ｂ）は同図（Ａ）のＩＶＢ部拡大図、図５（Ａ）は溶着処理後の縦断側面図、同図（Ｂ）は同図（Ａ）のＶＢ部拡大図である。
【０００４】
キャビネットを形成しているフロントパネル１は樹脂の一体成形体でなる。このフロントパネル１の内側には、当該フロントパネル１に片持ち状に一体成形されたスイッチ操作片２と基板支持アーム３とが配備されている。そして、スイッチ操作片２は、その下端である自由端に押圧作用部２１が設けられているのに対して、その上端部の薄肉箇所がヒンジ２２として形成されている。また、基板支持アーム３には、プッシュスイッチ４を搭載した配線基板５が保持されていて、上記スイッチ操作片２の押圧作用部２１がそのプッシュスイッチ４のタクト４１にその前側で対峙している。
【０００５】
スイッチ操作片２にスイッチ操作ボタン６を溶着する工程では、溶着処理に先立って、図４（Ａ）（Ｂ）のように、スイッチ操作片２に開設されている孔部２２にスイッチ操作ボタン６に備わっている突起部６１を前側（スイッチ操作片２の片面側）から挿入してスイッチ操作片２の後側（スイッチ操作片２の他面側）に突き出させると共に、スイッチ操作ボタン６の座部６２をスイッチ操作片２の片面に重ね合わせる。次に、上記突起部６１ないし上記孔部２２を加熱するという溶着処理を行う。この溶着処理を行うと、図５（Ａ）（Ｂ）のように、突起部６１がスイッチ操作片２に溶着し、その溶着に伴って突起部６１が偏平な形に変形する。図中、ａはスイッチ操作片２に対する突起部６１の溶着箇所を示してある。
【０００６】
一方、表面をメッキした樹脂部品を相手側部材に超音波溶着する場合に、樹脂部品の一部を切除してその切除部分で樹脂面を露出させた後、露出した樹脂面を相手方部材に超音波溶着するという技術が提案されている（たとえば、特許文献１参照）。
【特許文献１】特開平９−２３４７９４号公報
【発明の開示】
【発明が解決しようとする課題】
【０００７】
図４及び図５を参照して説明したスイッチ操作ボタンの溶着部構造及び同溶着方法によると、スイッチ操作ボタン６がメッキ処理されてその表面にメッキ層が形成されている場合には、図５（Ｂ）に示した溶着箇所ａでそのメッキ層が露出することが知見された。
【０００８】
しかしながら、上記の溶着箇所ａでスイッチ操作ボタン６のメッキ層が露出していると、その溶着箇所ａに対して空間を隔てた箇所に位置しているプッシュスイッチ４やそのプッシュスイッチ４を搭載している配線基板に実装されている電子部品が、その溶着箇所ａから放電した静電気による悪影響を受けやすく、場合によっては電子部品などが誤動作したり静電破壊を起こしたりするというおそれがある。特に、スイッチ操作ボタン６に対しては、それを操作するオペレータ（ユーザなど）が手の指を接触させて頻繁に押下げ操作を行うことになるので、人体の静電気がスイッチ操作ボタン６の表面のメッキ層を伝って上記溶着箇所ａから放電し、放電した静電気が電子部品に悪影響を及ぼしやすいということが云える。
【０００９】
本発明は以上の状況に鑑みてなされたものであり、表面にメッキ層を有する樹脂製のスイッチ操作ボタンの突起部をスイッチ操作片の孔部に挿入してその突起部をスイッチ操作片に溶着したとしても、溶着箇所にスイッチ操作ボタンのメッキ層が露出しなくなる対策を講じることによって、溶着箇所から放電した静電気で電子部品などが悪影響を受けたり、誤動作したり、静電破壊を起こしたりすることを防止することのできるスイッチ操作ボタンの溶着部構造及び同溶着方法を提供することを目的とする。
【００１０】
また、本発明は、別部品を用いることなく、溶着箇所にスイッチ操作ボタンのメッキ層が露出しなくなるスイッチ操作ボタンの溶着部構造及び同溶着方法を提供することを目的とする。
【課題を解決するための手段】
【００１１】
本発明に係るスイッチ操作ボタンの溶着部構造は、表面メッキ層を有する樹脂製のスイッチ操作ボタンの突起部を、樹脂製のスイッチ操作片の孔部に片面側から挿入してその突起部を上記スイッチ操作片に溶着してなるスイッチ操作ボタンの溶着部構造であって、上記スイッチ操作片に対する上記突起部の溶着箇所が、上記スイッチ操作片の他面から延び出た樹脂被覆層によって覆われている。この構成であると、突起部の溶着箇所の表面にメッキ層が露出しているとしても、そのメッキ層がスイッチ操作片の他面から延び出た樹脂被覆層によって覆われていて、その樹脂被覆層にはメッキ層が含まれていないために、上記溶着箇所から静電気が放電しにくくなり、そのことが、静電気で電子部品などが悪影響を受けたり、誤動作したり、静電破壊を起こしたりすることを防止することに役立つ。言い換えると、静電試験の余裕度が向上する。
【００１２】
本発明において、上記樹脂被覆層は、溶着処理前に上記スイッチ操作片の孔部に連通する凹入空間を形成していた有底凹入部が、溶着処理によって上記溶着箇所を覆う形状に変形することによって形成されていることが望ましい。これによれば、上記の樹脂被覆層を形成するのに別部品や別工程を用いる必要がなくなる。
【００１３】
本発明では、上記スイッチ操作片が、樹脂製の電気機器キャビネットに片持ち揺動可能に一体成形されていて、そのスイッチ操作片の自由端にプッシュスイッチのタクトに対峙した押圧作用部が形成されていると共に、上記溶着箇所が、上記プッシュスイッチに対して空間を隔てた箇所に位置している、という構成を採用することが可能であり、これによれば、図４又は図５を参照して説明した構成のフロントパネルを備える電気機器の電子部品が、溶着箇所からの静電気の放電によって悪影響を受けるという事態が防止される。
【００１４】
本発明に係るスイッチ操作ボタンの溶着部構造は、表面にメッキ層を有する樹脂製のスイッチ操作ボタンの突起部を、樹脂製のスイッチ操作片の孔部に片面側から挿入してその突起部を上記スイッチ操作片に溶着してなるスイッチ操作ボタンの溶着部構造であって、上記スイッチ操作片に対する上記突起部の溶着箇所が、上記スイッチ操作片の他面から延び出た樹脂被覆層によって覆われていると共に、その樹脂被覆層が、溶着処理前に上記スイッチ操作片の孔部に連通する凹入空間を形成していた有底凹入部が、溶着処理によって上記溶着箇所を覆う形状に変形することによって形成されており、上記スイッチ操作片が、電気機器キャビネットを形成している樹脂製のフロントパネルに片持ち揺動可能に一体成形されていて、そのスイッチ操作片の自由端に、配線基板に搭載されたプッシュスイッチのタクトに対峙した押圧作用部が形成され、上記溶着箇所が、上記押圧作用部の上部で上記プッシュスイッチに対する空間を隔てた箇所に位置している、という構成を採用することが可能である。この発明の作用などについては、後述する実施形態を参照して詳細に説明する。
【００１５】
本発明に係るスイッチ操作ボタンの溶着方法は、表面にメッキ層を有する樹脂製のスイッチ操作ボタンの突起部を、樹脂製のスイッチ操作片の孔部に片面側から挿入してその突起部を上記スイッチ操作片に溶着するスイッチ操作ボタンの溶着方法であって、スイッチ操作片の他面側に一体成形されてそのスイッチ操作片の孔部に連通した凹入空間を形成する有底凹入部に、上記スイッチ操作ボタンの突起部を上記孔部を通して嵌め込んだ後、有底凹入部に対する上記突起部の嵌合箇所に対して当該有底凹入部の外面側から溶着処理を行うことによって、上記スイッチ操作片に対する上記突起部の溶着箇所を、上記有底凹入部が変形することによって形成された樹脂被覆層で覆わせる、というものである。
【００１６】
この発明では、上記スイッチ操作片が、樹脂製の電気機器キャビネットに片持ち揺動可能に一体成形されていて、そのスイッチ操作片の自由端にプッシュスイッチのタクトに対峙した押圧作用部が形成されていると共に、上記有底凹入部が、上記プッシュスイッチに対して空間を隔てた箇所に位置している、という構成を採用することが可能である。
【００１７】
また、本発明に係るスイッチ操作ボタンの溶着方法は、樹脂製の電気機器キャビネットを形成しているフロントパネルに片持ち揺動可能に一体成形され、かつ、配線基板に搭載されているプッシュスイッチのタクトに対峙した押圧作用部がその自由端に形成されている樹脂製のスイッチ操作片の孔部に、表面にメッキ層を有する樹脂製のスイッチ操作ボタンの突起部を上記スイッチ操作片の片面側から挿入してその突起部を上記スイッチ操作片に溶着するスイッチ操作ボタンの溶着方法であって、スイッチ操作片の他面側に一体成形されてそのスイッチ操作片の孔部に連通した凹入空間を形成する有底凹入部に、上記スイッチ操作ボタンの突起部を上記孔部を通して嵌め込んだ後、上記有底凹入部に対する上記突起部の嵌合箇所に対して当該有底凹入部の外面側から溶着処理を行うことによって、上記スイッチ操作片に対する上記突起部の溶着箇所を、上記有底凹入部が変形することによって形成された樹脂被覆層で覆わせる、という構成を採用することによっていっそう具体化される。この発明の作用などについては、後述する実施形態を参照して詳細に説明する。
【発明の効果】
【００１８】
以上のように、本発明によるスイッチ操作ボタンの溶着部構造及び同溶着方法によれば、スイッチ操作片に対するスイッチ操作ボタンの突起部の溶着箇所にメッキ層が露出しているとしても、そのメッキ層がスイッチ操作片の他面から延び出たメッキ層を有していない樹脂被覆層によって覆われるために溶着箇所から静電気が放電しにくくなり、その結果、静電気で電子部品などが悪影響を受けたり、誤動作したり、静電破壊を起こしたりすることが防止される。併せて、静電試験の余裕度が向上するので、スイッチ操作ボタンの溶着箇所と電子部品との離間距離を短縮して電気機器のコンパクト化を図りやすくなるという利点がある。しかも、上記樹脂被覆層は、スイッチ操作片に一体成形した有底凹入部が溶着処理により変形して形成されるものであるので、当該樹脂被覆層を形成するのに余分に別部品を用いたり余分な工程を行ったりする必要がないという利点がある。
【００１９】
したがって、本発明によると、頻繁に手の指で操作されるスイッチ操作ボタンの表面にメッキ層を形成してその美観を高めたとしても、静電気による悪影響で電子部品が誤動作したり静電破壊を起こしたりすることのない性能安定性にすぐれた電気機器を提供することが可能になる。
【発明を実施するための最良の形態】
【００２０】
図１及び図２はスイッチ操作ボタン６をスイッチ操作片２に対して溶着する工程を示してあり、図１（Ａ）は溶着処理の前工程を示した縦断側面図、同図（Ｂ）は同図（Ａ）のＩＢ部拡大図、図２（Ａ）は溶着処理後の縦断側面図、同図（Ｂ）は同図（Ａ）のＩＩＢ部拡大図、図３はスイッチ操作ボタン６の概略斜視図である。
【００２１】
図４及び図５を参照して既述したところと同様に、図１及び図２に示したフロントパネル１は、キャビネットの一部を形成していて、その内側に、当該フロントパネル１に片持ち状に一体成形されたスイッチ操作片２と基板支持アーム３とが配備されている。そして、スイッチ操作片２は、その下端である自由端に押圧作用部２１が設けられているのに対して、その上端部の薄肉箇所がヒンジ２２として形成されている。また、基板支持アーム３には、プッシュスイッチ４を搭載した配線基板５が保持されていて、上記スイッチ操作片２の押圧作用部２１がそのプッシュスイッチ４のタクト４１にその前側で対峙している。
【００２２】
また、スイッチ操作片２には、その押圧作用部２１の上部に孔部２２が開設されていると共に、その孔部２２に連通する凹入空間を形成している有底凹入部２３が一体に形成されていて、この有底凹入部２３によって形成されている凹入空間と上記孔部２２とにスイッチ操作ボタン６の突起部６１が挿入されるようになっている。
【００２３】
図３に示したように、図例のスイッチ操作ボタン６は、台座６２の片面側にボタン部６３が突出されているのに対し、その台座６２の他面側の３箇所に突起部６１が突出されている。
【００２４】
そして、図１のように、溶着処理に先立って、スイッチ操作ボタン６の３箇所の突起部６１を、上記したスイッチ操作片２の３箇所に開設された孔部２２とそれらの各孔部２２に個別に対応して設けられた上記有底凹入部２３とに、スイッチ操作片２の片面側から各別に嵌め込むと共に、台座６２をスイッチ操作片２の片面に重ね合わせる。
【００２５】
次に、上記有底凹入部２３に対する上記突起部６１の嵌合箇所に対して有底凹入部２３の外面側から加熱などの溶着処理を行うことによって、突起部６１をスイッチ操作片２に溶着して結合する。このような溶着処理を行うと、スイッチ操作片２に対する突起部６１の溶着箇所ａは、上記した有底凹入部２３が変形することによって形成されてスイッチ操作片２の他面から延び出た樹脂被覆層２４によって完全に覆われる。このため、溶着箇所ａの表面にスイッチ操作ボタン６のメッキ層が露出しているとしても、そのメッキ層が樹脂被覆層２４によって完全に覆われてしまう。したがって、溶着箇所ａから静電気が放電しにくくなり、そのことが、静電気で電子部品などが悪影響を受けたり、誤動作したり、静電破壊を起こしたりすることを防止することに役立つ。
【００２６】
なお、図１〜図５では、同一又は相応する部分に同一符号を付してある。
【図面の簡単な説明】
【００２７】
【図１】本発明実施形態による溶着部構造及び溶着方法についての溶着処理の前工程を示し、（Ａ）は縦断側面図、（Ｂ）は（Ａ）のＩＢ部拡大図である。
【図２】本発明実施形態による溶着部構造及び溶着方法を示し、（Ａ）は縦断側面図、（Ｂ）は（Ａ）のＩＩＢ部拡大図である。
【図３】スイッチ操作ボタンの概略斜視図である。
【図４】従来例による溶着部構造及び溶着方法についての溶着処理の前工程を示し、（Ａ）は縦断側面図、（Ｂ）は（Ａ）のＩＶＢ部拡大図である。
【図５】従来例による溶着部構造及び溶着方法を示し、（Ａ）は縦断側面図、（Ｂ）は（Ａ）のＩＶＢ部拡大図である。
【符号の説明】
【００２８】
１  フロントパネル
２  スイッチ操作片
４  プッシュスイッチ
６  スイッチ操作ボタン
６１  突起部
２１  押圧作用部
２２  孔部
２３  有底凹入部
２４  樹脂被覆層
４１  タクト
ａ  スイッチ操作片に対する突起部の溶着箇所
【図１】
2007073245.tif 000003
【図２】
2007073245.tif 000004
【図３】
2007073245.tif 000005
【図４】
2007073245.tif 000006
【図５】
2007073245.tif 000007